(57)【要約】      （修正有）【課題】大容量記憶装置の楽曲ファイル数の増加速度を緩和する「大容量記憶装置及びその楽曲ファイルコピー方法」を提供することである。【解決手段】音楽記録再生装置１０の記録媒体１２から読み取った楽曲ファイルをカーオーディオ装置内の大容量記録媒体３４にコピーする際、一度にコピーできる最大楽曲ファイル数Nsを設定しておき、音楽記録再生装置の記録媒体に記録されている楽曲ファイル数Nが該最大楽曲ファイル数Ns以下であれば、該記録媒体に記録されている全楽曲ファイルを大容量記録媒体にコピーし、楽曲ファイル数Nが最大楽曲ファイル数Nsより大きければ、Ns個の楽曲ファイルを大容量記録媒体にコピーすると共に、残りの(N−Ns)個の楽曲ファイルと大容量記録媒体に記録されている楽曲ファイルとを交換する。【選択図】図１
2008016108.tif 000002
【特許請求の範囲】
【請求項１】
音楽記録再生装置の記録媒体から読み取った楽曲ファイルをカーオーディオ装置内の大容量記録媒体にコピーする楽曲ファイルコピー方法において、
一度にコピーできる最大楽曲ファイル数Nsを設定しておき、
音楽記録再生装置の記録媒体からコピーすべき楽曲ファイルのファイル数Nが該最大楽曲ファイル数Ns以下であれば、コピーすべき全楽曲ファイルを前記大容量記録媒体にコピーし、
楽曲ファイル数Nが前記最大楽曲ファイル数Nsより大きければ、Ns個の楽曲ファイルを大容量記録媒体にコピーすると共に、残りの(N‐Ns)個の楽曲ファイルと大容量記録媒体に記録されている同数の楽曲ファイルとを交換する、
ことを特数する楽曲ファイルコピー方法。
【請求項２】
大容量記録媒体に記録されている全楽曲ファイル数Ntを監視し、該楽曲ファイル数Ntが設定数以上になれば前記一度にコピーできる最大楽曲ファイル数Nsを小さくすることを特徴とする請求項１記載の楽曲ファイルコピー方法。
【請求項３】
音楽記録再生装置の記録媒体から読み取った楽曲ファイルをカーオーディオ装置内の大容量記録媒体にコピーする楽曲ファイルコピー方法において、
一度にコピーできる楽曲ファイルの最大トータルサイズMsを設定しておき、
音楽記録再生装置の記録媒体からコピーすべき楽曲ファイルのトータルサイズMが前記最大トータルサイズMs以下であれば、コピーすべき全楽曲ファイルを前記大容量記録媒体にコピーし、
コピーすべき楽曲ファイルのトータルサイズMが前記最大トータルサイズMsより大きければ、所定数の楽曲ファイルをトータルサイズがMs 以下となるように大容量記録媒体にコピーすると共に、残りの楽曲ファイルと大容量記録媒体に記録されている同数の楽曲ファイルとを交換する、
ことを特数する楽曲ファイルコピー方法。
【請求項４】
音楽記録再生装置の記録媒体から読み取った楽曲ファイルをカーオーディオ装置内の大容量記録媒体にコピーする楽曲ファイルコピー方法において、
フォルダ内に保存できる最大のファイル数Fsを設定しておき、
音楽記録再生装置の記録媒体からコピーすべき楽曲ファイルのファイル数Nが前記最大ファイル数Fsより大きければ、コピーファイル数が多すぎることによるアラームを発生し、
楽曲ファイル数Nが最大ファイル数Fs以下で、かつ、所定フォルダ内に保存されている楽曲ファイル数をFとするときN≦(Fs‐F)であれば、記録媒体からコピーすべき全楽曲ファイルを前記所定フォルダの楽曲ファイルとして大容量記録媒体にコピーし、
楽曲ファイル数Nが最大ファイル数Fs以下で、かつ、N>(Fs‐F)であれば、前記記録媒体からコピーすべき(Fs‐F)個の楽曲ファイルを前記所定フォルダの楽曲ファイルとして大容量記録媒体にコピーし、前記記録媒体からコピーすべき残りのN‐(Fs‐F)個の楽曲ファイルと大容量記録媒体の前記フォルダ内の楽曲ファイルとを交換する、
ことを特数する楽曲ファイルコピー方法。
【請求項５】
音楽記録再生装置の記録媒体から読み取った楽曲ファイルをカーオーディオ装置内の大容量記録媒体にコピーする楽曲ファイルコピー方法において、
フォルダ内に保存できる最大トータルサイズFsを設定しておき、
音楽記録再生装置の記録媒体からコピーすべき全楽曲ファイルのトータルサイズMが前記トータルサイズFsより大きければ、コピーファイル数が多すぎることによるアラームを発生し、
トータルサイズMが前記最大トータルサイズFs以下で、かつ、所定フォルダ内に保存されている全楽曲ファイルのサイズをFとするときM≦(Fs‐F)であれば、記録媒体からコピーすべき全楽曲ファイルを前記所定フォルダの楽曲ファイルとして大容量記録媒体にコピーし、
トータルサイズMが前記トータルサイズFs以下で、かつ、M>(Fs‐F)であれば、トータルサイズが(Fs‐F) 以下となるように決定した所定数のコピーすべき楽曲ファイルを前記所定フォルダの楽曲ファイルとして大容量記録媒体にコピーすると共に、該記録媒体からコピーすべき残りの楽曲ファイルと大容量記録媒体の前記フォルダ内の楽曲ファイルとを交換する、
ことを特数する楽曲ファイルコピー方法。
【請求項６】
前記記録媒体に記録されている楽曲ファイルと交換する大容量記録媒体に記録されている前記楽曲ファイルは使用頻度の少ないファイルであることを特徴とする請求項１または請求項３乃至５記載の楽曲ファイルコピー方法。
【請求項７】
音楽記録再生装置の記録媒体から読み取った楽曲ファイルをカーオーディオ装置内の大容量記録媒体にコピーする大容量記憶装置において、
多数の楽曲ファイルを記録すると共に再生可能な大容量記録媒体、
一度にコピーできる最大楽曲ファイル数Nsを保持する保持部、
音楽記録再生装置の記録媒体からコピーすべき楽曲ファイルのファイル数Nが該最大楽曲ファイル数Ns以下であれば、該記録媒体からコピーすべき全楽曲ファイルを前記大容量記録媒体にコピーし、楽曲ファイル数Nが前記最大楽曲ファイル数Nsより大きければ、記録媒体からコピーすべきNs個の楽曲ファイルを大容量記録媒体にコピーすると共に、残りの(N‐Ns)個の楽曲ファイルと大容量記録媒体に記録されている楽曲ファイルとを交換する制御装置、
を備えたことを特数する大容量記憶装置。
【請求項８】
音楽記録再生装置の記録媒体から読み取った楽曲ファイルをカーオーディオ装置内の大容量記録媒体にコピーする大容量記憶装置において、
多数の楽曲ファイルを記録すると共に再生可能な大容量記録媒体、
フォルダ内に保存できるトータルサイズFsを保持する保持部、
(1)音楽記録再生装置の記録媒体よりコピーすべき全楽曲ファイルのトータルサイズMが前記トータルサイズFsより大きければ、コピーファイル数が多すぎることによるアラームを発生し、(2)トータルサイズMが前記トータルサイズFs以下で、かつ、所定フォルダ内に保存されている全楽曲ファイルのサイズをFとするときM≦(Fs‐F)であれば、記録媒体空コピーすべき全楽曲ファイルを前記所定フォルダの楽曲ファイルとして大容量記録媒体にコピーし、(3)トータルサイズMが前記トータルサイズFs以下で、かつ、M>(Fs‐F)であれば、コピーすべき所定数の楽曲ファイルをトータルサイズが(Fs‐F) 以下となるように前記所定フォルダの楽曲ファイルとして大容量記録媒体にコピーすると共に、該記録媒体からコピーすべき残りの楽曲ファイルと大容量記録媒体の前記フォルダ内の楽曲ファイルとを交換する制御装置、
を備えたことを特数する大容量記憶装置。
【発明の詳細な説明】
【技術分野】
【０００１】
本発明は大容量記憶装置及びその楽曲ファイルコピー方法に係わり、特に、音楽記録再生装置の記録媒体から読み取った楽曲ファイルを車載オーディオ装置内の大容量記録媒体にコピーする大容量記憶装置及びその楽曲ファイルコピー方法に関する。
【背景技術】
【０００２】
カーナビゲーション機能、車載オーディオ機能、車載電話機能の複合機能を備えた車載機は、大容量記憶装置、例えばハードディスクを備え、該ハードディスクの地図領域にナビゲーション用の地図データを記憶すると共に、ユーザ使用領域(楽曲領域)に携帯用音楽再生装置内蔵の記録媒体やCDから読み出した楽曲ファイルを記憶し、適宜、再生してオーディオ回路を介してスピーカより出力するようになっている。なお、携帯用音楽記録再生装置内蔵の記録媒体やCDに記録されている楽曲ファイルを車載オーディオで再生したとき、該楽曲ファイルをハードディスクの楽曲領域に自動的に記憶するようになっている(リッピング)。
さて、音楽記録再生装置から楽曲ファイルをコピーすることにより、ハードディスクの楽曲領域におけるファイル量が日々増加していき、容量不足を引き起こす。かかる状態でさらに楽曲ファイルをコピーするには、楽曲領域内の不要なファイルを削除し、空き領域を確保する必要性がある。このとき、大量の楽曲ファイルから不要ファイルを選択しなくてはならず空き領域を確保するためのユーザ作業が煩雑となる問題がある。また、近年大容量化が進む反面、記憶可能ファイル数の増加によりシステムにおけるファイル管理が大変になるという問題が発生する可能性がある。
【０００３】
ハードディスクの記録残量が所定値以下になると、自動削除機能を実行し、再生回数が最小で、記録日時が最も古いコンテンツを削除する第１従来技術がある(特許文献１)。
また、ハードディスクの記憶容量が不足した状態に直面したとき、プログラム情報毎に再生頻度を表示して不要なプログラムを削除して空き領域を確保する第２従来技術がある(特許文献２)。
また、メモリに記憶済みのデータの圧縮率を高くして記憶しなおして空き領域を確保する第３従来技術がある(特許文献３)。
【特許文献１】特開２００４−２０８２０４号公報
【特許文献２】特開２００２−２６８９２３号公報
【特許文献３】特開２０００−２０７８４０号公報
【発明の開示】
【発明が解決しようとする課題】
【０００４】
しかし、第１、第２従来技術はハードディスクに記録してあるコンテンツあるいはプログラムを削除するもので、削除したコンテンツあるいはプログラムを再利用できない問題がある。
また、第３従来技術は圧縮率を高くして再圧縮する必要があり、圧縮率の異なる２種類以上のエンコーダ/デコーダが必要となる問題がある。また、記録済みのデータをデコードし、ついで再圧縮して空き領域を確保し、該空き領域に新たなデータを書き込むという一連の作業が必要になり、新たなデータを書き込むまでに長時間を要する問題がある。
以上から、本発明の目的は、音楽記録再生装置等の記録媒体から読み出した楽曲ファイルをハードディスクなどの大容量記憶装置に記憶する際、該大容量記憶装置に記憶される楽曲ファイル数の増加速度を緩和することである。
本発明の目的は、音楽記録再生装置の記録媒体から読み出した楽曲ファイルをハードディスクなどの大容量記憶装置に記憶する際、該大容量記憶装置に記憶されていた楽曲ファイルを再利用できるようにしつつ、該大容量記憶装置の楽曲ファイル数の増加速度を緩和することである。
【課題を解決するための手段】
【０００５】
本発明は音楽記録再生装置の記録媒体から読み取った楽曲ファイルを車載オーディオ装置内の大容量記録媒体にコピーする大容量記憶装置及びその楽曲ファイルコピー方法である。
本発明の第１の態様である楽曲ファイルコピー方法は、一度にコピーできる最大楽曲ファイル数Nsを設定するステップ、音楽記録再生装置の記録媒体からコピーすべき楽曲ファイルのファイル数Nが該最大楽曲ファイル数Ns以下であれば、コピーすべき全楽曲ファイルを前記大容量記録媒体にコピーするステップ、楽曲ファイル数Nが前記最大楽曲ファイル数Nsより大きければ、Ns個の楽曲ファイルを大容量記録媒体にコピーすると共に、残りの(Ｎ−Ns)個の楽曲ファイルと大容量記録媒体に記録されている同数の楽曲ファイルとを交換するステップを備えている。
上記楽曲ファイルコピー方法において、大容量記録媒体に記録されている全楽曲ファイル数Ntを監視し、該楽曲ファイル数Ntが設定数以上になれば前記一度にコピーできる最大楽曲ファイル数Nsを小さくする。
【０００６】
本発明の第２の態様である楽曲ファイルコピー方法は、一度にコピーできる楽曲ファイルの最大トータルサイズMsを設定するステップ、音楽記録再生装置の記録媒体からコピーすべき楽曲ファイルのトータルサイズMが前記最大トータルサイズMs以下であれば、コピーすべき全楽曲ファイルを前記大容量記録媒体にコピーするステップ、コピーすべき楽曲ファイルのトータルサイズMが前記最大トータルサイズMsより大きければ、所定数の楽曲ファイルをトータルサイズがMs 以下となるように大容量記録媒体にコピーすると共に、残りの楽曲ファイルと大容量記録媒体に記録されている同数の楽曲ファイルとを交換するステップ,を有している。
【０００７】
本発明の第３の態様である楽曲ファイルコピー方法は、フォルダ内に保存できる最大のファイル数Fsを設定するステップ、音楽記録再生装置の記録媒体からコピーすべき楽曲ファイルのファイル数Nが前記最大ファイル数Fsより大きければ、コピーファイル数が多すぎることによるアラームを発生するステップ、楽曲ファイル数Nが最大ファイル数Fs以下で、かつ、所定フォルダ内に保存されている楽曲ファイル数をFとするときN≦(Fs−F)であれば、記録媒体からコピーすべき全楽曲ファイルを前記所定フォルダの楽曲ファイルとして大容量記録媒体にコピーするステップ、楽曲ファイル数Nが最大ファイル数Fs以下で、かつ、N>(Fs−F)であれば、前記記録媒体からコピーすべき(Fs−F)個の楽曲ファイルを前記所定フォルダの楽曲ファイルとして大容量記録媒体にコピーし、前記記録媒体からコピーすべき残りのＮ−(Fs−F)個の楽曲ファイルと大容量記録媒体の前記フォルダ内の楽曲ファイルとを交換するステップを有している。
【０００８】
本発明の第４の態様である楽曲ファイルコピー方法は、フォルダ内に保存できる最大トータルサイズFsを設定するステップ、音楽記録再生装置の記録媒体からコピーすべき全楽曲ファイルのトータルサイズMが前記トータルサイズFsより大きければ、コピーファイル数が多すぎることによるアラームを発生するステップ、トータルサイズMが前記最大トータルサイズFs以下で、かつ、所定フォルダ内に保存されている全楽曲ファイルのサイズをFとするときM≦(Fs−F)であれば、記録媒体からコピーすべき全楽曲ファイルを前記所定フォルダの楽曲ファイルとして大容量記録媒体にコピーするステップ、トータルサイズMが前記トータルサイズFs以下で、かつ、M>(Fs−F)であれば、トータルサイズが(Fs−F) 以下となるように決定した所定数のコピーすべき楽曲ファイルを前記所定フォルダの楽曲ファイルとして大容量記録媒体にコピーすると共に、該記録媒体からコピーすべき残りの楽曲ファイルと大容量記録媒体の前記フォルダ内の楽曲ファイルとを交換するステップを有している。
【０００９】
本発明の第５の態様である大容量記憶装置は、多数の楽曲ファイルを記録すると共に再生可能な大容量記録媒体、一度にコピーできる最大楽曲ファイル数Nsを保持する保持部、音楽記録再生装置の記録媒体からコピーすべき楽曲ファイルのファイル数Nが該最大楽曲ファイル数Ns以下であれば、該記録媒体からコピーすべき全楽曲ファイルを前記大容量記録媒体にコピーし、楽曲ファイル数Nが前記最大楽曲ファイル数Nsより大きければ、記録媒体からコピーすべきNs個の楽曲ファイルを大容量記録媒体にコピーすると共に、残りの(Ｎ−Ns)個の楽曲ファイルと大容量記録媒体に記録されている楽曲ファイルとを交換する制御装置を備えている。
【００１０】
本発明の第６の態様である大容量記憶装置は、多数の楽曲ファイルを記録すると共に再生可能な大容量記録媒体、フォルダ内に保存できるトータルサイズFsを保持する保持部、(1)音楽記録再生装置の記録媒体よりコピーすべき全楽曲ファイルのトータルサイズMが前記トータルサイズFsより大きければ、コピーファイル数が多すぎることによるアラームを発生し、(2)トータルサイズMが前記トータルサイズFs以下で、かつ、所定フォルダ内に保存されている全楽曲ファイルのサイズをFとするときM≦(Fs−F)であれば、記録媒体空コピーすべき全楽曲ファイルを前記所定フォルダの楽曲ファイルとして大容量記録媒体にコピーし、(3)トータルサイズMが前記トータルサイズFs以下で、かつ、M>(Fs−F)であれば、コピーすべき所定数の楽曲ファイルをトータルサイズが(Fs−F) 以下となるように前記所定フォルダの楽曲ファイルとして大容量記録媒体にコピーすると共に、該記録媒体からコピーすべき残りの楽曲ファイルと大容量記録媒体の前記フォルダ内の楽曲ファイルとを交換する制御装置を備えている。
【発明の効果】
【００１１】
本発明によれば、一度にコピーできる最大楽曲ファイル数Nsを設定し、あるいは、一度にコピーできる楽曲ファイルのトータルサイズMsを設定することにより、音楽記録再生装置等の記録媒体から読み出した楽曲ファイルをハードディスクなどの大容量記憶装置に記憶する際、該大容量記憶装置に記憶される楽曲ファイル数の増加速度を緩和することができる。
また、本発明によれば、楽曲ファイル数Nが設定されている最大楽曲ファイル数Nsより大きければ、Ns個の楽曲ファイルを大容量記録媒体にコピーすると共に、残りの(Ｎ−Ns)個の楽曲ファイルと大容量記録媒体に記録されている楽曲ファイルとを交換するようにしたから、あるいは、全楽曲ファイルのトータルサイズMが設定されている最大トータルサイズMsより大きければ、所定数の楽曲ファイルをトータルサイズがMs 以下となるように大容量記録媒体にコピーすると共に、残りの楽曲ファイルと大容量記録媒体に記録されている楽曲ファイルとを交換するようにしたから、大容量記憶装置に記憶されていた楽曲ファイルを再利用できるようにしつつ、該大容量記憶装置の楽曲ファイル数の増加速度を緩和することができる。
また、本発明によれば、大容量記録媒体に記録されている全楽曲ファイル数Ntを監視し、該楽曲ファイル数Ntが設定数以上になれば一度にコピーできる最大楽曲ファイル数Nsを小さくするようにしたから、大容量記憶装置の楽曲ファイル数の増加速度をますます緩和することができる。
また、本発明によれば、フォルダ内に保存できるファイル数Fsを設定し、あるいは、フォルダ内に保存できるトータルサイズFsを設定することにより、フォルダ内の楽曲ファイル数の増加を抑制でき、結果的に該大容量記憶装置に記憶される楽曲ファイル数の増加速度を緩和することができる。また、本発明によれば、フォルダ内の楽曲ファイル数の増加を抑制しつつ、大容量記憶装置に記憶されていた楽曲ファイルを消去しないため容易に再利用することができる。
【発明を実施するための最良の形態】
【００１２】
（A）車載オーディオシステム
図１は本発明の車載オーディオシステムの構成図であり、音楽再生装置、たとえば携帯用音楽記録再生装置１０と車載オーディオ装置２０と大容量記憶装置であるハードディスク部３０で構成されている。携帯用音楽記録再生装置１０はケーブルで車載オーディオ２０とハードディスク部３０と接続されている。
携帯用音楽記録再生装置１０において、記録・再生制御部１１は記録媒体（フラッシュメモりーや小型ハードディスク）１２から所望の楽曲ファイルを読み出してオーディオ回路１３に入力し、オーディオ回路１３はディジタルのオーディオデータをアナログに変換し、所定の音響処理を施してヘッドホンあるいはイアホン１４より楽曲を出力する。また、記録・再生制御部１１は再生した楽曲ファイルをオーディオインターフェース（IF）１５を介して車載オーディオ装置２０とハードディスク部３０に送信し、車載オーディオ装置２０は受信した楽曲ファイルに基づいて音楽を再生して車載のスピーカより出力し、また、ハードディスク部３０は受信した楽曲ファイルをハードディスク３４に記録する。さらに、記録・再生制御部１１はハードディスク部３０やパソコン(図示せず)から送られてきた楽曲ファイルを記録媒体１２に記録する。
車載オーディオ装置２０のオーディオ処理部２1はオーディオIF２２を介して携帯用音楽記録再生装置１０やハードディスク部３０から入力する楽曲ファイルに伸張、復号処理を施してディジタルオーディオデータを発生し、オーディオ回路２３は該ディジタルオーディオデータをアナログのオーディオ信号に変換し、所定の音響処理を施してスピーカ２４より出力する
【００１３】
ハードディスク部３０において、システムコントローラ３１はオーディオIF３２を介して携帯用音楽記録再生装置１０から入力する楽曲ファイルを後述の処理フローに従ってディスクIF３３を介してハードディスク３４に記録すると共に、該ハードディスクに記録されている楽曲ファイルと携帯用音楽記録再生装置１０の記録媒体に記録されている楽曲ファイルを交換する。また、システムコントローラ３１はハードディスク３４に記録されている楽曲ファイルを車載オーディオ装置２０に入力して再生する。
図２はハードディスク３４におけるにファイル構造の説明図であり、ルートディレクトリは１以上のMP３音楽ファイル(図では３つのMP３音楽ファイルAAA.mp3〜CCC.mp3)と１以上(図では１つのフォルダABCで構成され、フォルダABCは1つのサブフォルダEFGと複数のMP３音楽ファイルJJJ.mp3〜LLL.mp3で構成され、サブフォルダEFGは複数のMP３音楽ファイルEEE.mp3〜GGG.mp3で構成されている。システムコントローラ３１は図３に示すように、ハードディスク３４におけるファイル構造（パス構成、MP3音楽ファイルの先頭アドレス、サイズ等）と共に、ファイルのハードディスク記録日時、使用回数を示す管理テーブルを作成して記憶部３１aに保存する。
システムコントローラ３１は図３の管理テーブルを参照することにより、任意のMP3音楽ファイルを再生したり、フォルダを指定することにより該フォルダに所属する音楽ファイルのみの再生をすることができる。また、システムコントローラ３１はこの管理テーブルを参照して携帯用音楽記録再生装置１０からの楽曲ファイルの記録、ファイル交換制御を行う。
【００１４】
（B）楽曲ファイルのハードディスクへの記録制御
(a) 第１実施例の処理フロー
第１実施例では、携帯用音楽記録再生装置１０の記録媒体１２からハードディスク３４に楽曲ファイルをコピーする場合、予め一度にコピーできる最大ファイル数を指定しておき、それ以上のときはハードディスク３４内の使用頻度が低いファイルとの交換を自動的に行う。
図４は第１実施例の処理フローであり、記録媒体１２に記録されている全楽曲ファイルをハードディスク３４にコピーするものとする。
システムコントローラ３１は、予め一度にコピーできる最大ファイル数Ｎsをメモリ３１aに設定しておくと共に、記録媒体１２に記録されている管理情報を用いて実際のコピーファイル数Nを取得する(ステップ１０１)。ついで、システムコントローラ３１は、実際のコピーファイル数Nと最大ファイル数Ｎsを比較し(ステップ１０２)、実際のコピーファイル数Nが最大ファイル数Ｎs以下であれば(N≦Ns)、記録媒体１２に記録されている全楽曲ファイルをハードディスク３４に記録する(ステップ１０３)。
一方、実際のコピーファイル数Nが最大ファイル数Ｎsより大きければ(N>Ns)、システムコントローラ３１は図３の管理テーブルを参照し、ハードディスク３４に記録されている楽曲ファイルのうち使用頻度が低い（N−Ns）個のファイルを決定する(ステップ１０４)。
【００１５】
ついで、システムコントローラ３１は記録媒体１２に記録されている全楽曲ファイルをハードディスク３４に記録し(ステップ１０５)、しかる後、ステップ１０３で決定した前記（Ｎ−Ns）個のファイルを記録媒体１２に書き込み、書き込み完了後、該（Ｎ−Ns）個のファイルをハードディスク３４から削除する(ステップ１０６)。
なお、ステップ１０４〜１０６は、実際の楽曲ファイル数Nが設定されている最大楽曲ファイル数Nsより大きければ、Ns個の楽曲ファイルを大容量記録媒体にコピーし、残りの(Ｎ−Ns)個の楽曲ファイルと大容量記録媒体に記録されている楽曲ファイルとを交換したことと同等であり、以下の実施例でも同様である。
第１実施例によれば、一度にコピーできる最大楽曲ファイル数Nsを設定することにより、携帯用音楽記録再生装置等の記録媒体から読み出した楽曲ファイルをハードディスクに記憶する際、該ハードディスクに記憶される楽曲ファイル数の増加速度を緩和することができる。
また、第１実施例の処理フローでは、実際の楽曲ファイル数Nが設定されている最大楽曲ファイル数Nsより大きければ、Ns個の楽曲ファイルを大容量記録媒体にコピーすると共に、残りの(Ｎ−Ns)個の楽曲ファイルと大容量記録媒体に記録されている楽曲ファイルとを交換するようにしたから、ハードディスクに記憶されていた楽曲ファイルを再利用できるようにしつつ、該ハードディスクの楽曲ファイル数の増加速度を緩和することができる。
第１実施例によれば、一度にコピーできる最大ファイル数Ｎsを固定した例であるが、ハードディスクに記録されている全楽曲ファイル数Ntを監視し、該楽曲ファイル数Ntが設定数以上になれば一度にコピーできる最大楽曲ファイル数Nsを小さくすることができる。このようにすればハードディスクの空き領域が減少するにつれて楽曲ファイル数のコピーによる増加速度をより強力に緩和することができる。
【００１６】
(b) 第２実施例の処理フロー
第２実施例では、携帯用音楽記録再生装置１０の記録媒体１２からハードディスク３４に楽曲ファイルをコピーする場合、予め一度にコピーできる最大コピーサイズを指定しておき、それ以上のときはハードディスク３４内の使用頻度が低いファイルとの交換を自動的に行う。図５は第２実施例の処理フローであり、記録媒体１２に記録されている全楽曲ファイルをハードディスク３４にコピーするものとする。
システムコントローラ３１は、予め一度にコピーできる最大コピーサイズMsをメモリ３１aに設定しておくと共に、記録媒体１２に記録されている管理情報を用いて実際のコピーサイズMを取得する(ステップ2０１)。ついで、システムコントローラ３１は、実際のコピーサイズMと最大コピーサイズMsを比較し(ステップ２０２)、実際のコピーサイズMが最大コピーサイズMs以下であれば(M≦Ms)、記録媒体１２に記録されている全楽曲ファイルをハードディスク３４に記録する(ステップ２０３)。
一方、実際のコピーサイズMが最大コピーサイズMsより大きければ(M>Ms)、システムコントローラ３１は図３の管理テーブルを参照し、ハードディスク３４に記録されている楽曲ファイルのうち使用頻度が低い１以上のファイルを決定し、決定したファイルのトータルサイズが(M−Ms)より大きくなるようにする(ステップ２０４)。
ついで、システムコントローラ３１は記録媒体１２に記録されている全楽曲ファイルをハードディスク３４に記録し(ステップ２０５)、しかる後、ステップ１０３で決定した前記（Ｎ−Ns）個のファイルを記録媒体１２に書き込み、書き込み完了後、該（Ｎ−Ns）個のファイルをハードディスク３４から削除する(ステップ１０６)。
【００１７】
第２実施例によれば、一度にコピーできる楽曲ファイルのトータルサイズMsを設定することにより、携帯用音楽記録再生装置等の記録媒体から読み出した楽曲ファイルをハードディスクに記憶する際、該ハードディスクに記憶される楽曲ファイル数の増加速度を緩和することができる。
また、第２実施例によれば、全楽曲ファイルのサイズMが設定されているトータルサイズMsより大きければ、所定数の楽曲ファイルをトータルサイズがMs 以下となるように大容量記録媒体にコピーすると共に、残りの楽曲ファイルと大容量記録媒体に記録されている楽曲ファイルとを交換するようにしたから、ハードディスクに記憶されていた楽曲ファイルを再利用できるようにしつつ、該ハードディスクの楽曲ファイル数の増加速度を緩和することができる。
第２実施例の処理フローでは、一度にコピーできる最大コピーサイズMsを固定した例であるが、ハードディスクに記録されている全楽曲ファイル数Ntを監視し、該楽曲ファイル数Ntが設定数以上になれば一度にコピーできる最大コピーサイズMsを小さくすることができる。
【００１８】
(c)第３実施例の処理フロー
第３実施例では、フォルダ内に保存できる最大のファイル数を設定することにより、フォルダ内の楽曲ファイル数の増加を抑制し、結果的に楽曲ファイル数の増加速度を緩和する。図６は第３実施例の処理フローであり、記録媒体１２に記録されている全楽曲ファイルをハードディスク３４にコピーするものとする。
システムコントローラ３１は、予め一度にフォルダ内に保存できる最大のファイル数Fsをメモリ３１aに設定しておくと共に、記録媒体１２に記録されている管理情報を用いて実際のコピーファイル数Nおよび所属フォルダ(例えば、お気に入り)を取得する(ステップ３０１)。ついで、システムコントローラ３１は、実際のコピーファイル数Nと一度にフォルダ内に保存できる最大のファイル数Fsの大小を比較し(ステップ３０２)、N>Fsであれば、コピーファイル数が多いものとしてコピーを実行せずコピー数オーバのアラームを発生して処理を終了する(ステップ３０３)。
一方、N≦Fsであれば、システムコントローラ３１は図３の管理テーブルを参照して、ステップ１０１で求めたフォルダに含まれる楽曲ファイル数(フォルダ内保存ファイル数)Fを求め、F=Fsである調べる(ステップ３０４)。
【００１９】
F=Fsであれば、システムコントローラ３１はフォルダ内のN個の使用頻度の低い楽曲ファイルを決定し(ステップ３０５)、記録媒体１２に記録されている全楽曲ファイルをハードディスク３４に記録する(ステップ３０６)。しかる後、ステップ３０５で決定した前記N個のファイルを記録媒体１２に書き込み、書き込み完了後、該N個のファイルをハードディスク３４から削除する(ステップ３０７)。
ステップ３０４において、F<Fsであれば、まず、(Fs−F)個の楽曲ファイルを記録媒体１２からハードディスク３４に記録する(ステップ３０８)。ついで、システムコントローラ３１は図３の管理テーブルを参照し、ハードディスク３４のフォルダ内保存楽曲ファイルのうち使用頻度が低いＮ−（Fs−F）個のファイルを決定する(ステップ３０９)。
しかる後、システムコントローラ３１は、記録媒体１２からハードディスク３４に記録してない残りのＮ−（Fs−F）個の楽曲ファイルをハードディスク３４に記録する(ステップ３１０)。記録完了後、ステップ３０９において決定したＮ−（Fs−F）個のファイルをハードディスクより記録媒体１２に書き込み、書き込み後に、該Ｎ−（Fs−F）個のファイルをハードディスクより削除する。
第3実施例によれば、フォルダ内に保存できる最大のファイル数Fsを設定することにより、フォルダ内の楽曲ファイル数の増加を抑制でき、結果的にハードディスクに記憶される楽曲ファイル数の増加速度を緩和することができる。また、第3実施例によれば、フォルダ内の楽曲ファイル数の増加を抑制しつつ、ハードディスクに記録されていた楽曲ファイルを消去しないため容易に再利用することができる。
【００２０】
(d)変形例
第３実施例では、フォルダ内に保存できる最大のファイル数を設定したが、フォルダ内に保存できるファイルのトータルサイズを設定して同様の処理を行なうことができる。すなわち、
(1)フォルダ内に保存できるファイルのトータルサイズFsを設定しておき、
(2)記録媒体に記録されている全楽曲ファイルのトータルサイズMが該トータルサイズFsより大きければ、コピーファイル数が多すぎることによるアラームを発生し、
(3)トータルサイズMが前記トータルサイズFs以下で、かつ、所定フォルダ内に保存されている全楽曲ファイルのサイズをFとするときM≦(Fs−F)であれば、記録媒体に記録されている全楽曲ファイルを前記所定フォルダの楽曲ファイルとして大容量記録媒体にコピーし、
(4) トータルサイズMが前記トータルサイズFs以下で、かつ、M>(Fs‐F)であれば、トータルサイズが(Fs‐F) 以下となるように決定した所定数のコピーすべき楽曲ファイルを前記所定フォルダの楽曲ファイルとして大容量記録媒体にコピーすると共に、該記録媒体からコピーすべき残りの楽曲ファイルと大容量記録媒体の前記フォルダ内の楽曲ファイルとを交換する。
変形例によれば、フォルダ内に保存できるトータルサイズFsを設定することにより、フォルダ内の楽曲ファイル数の増加を抑制でき、結果的にハードディスクに記憶される楽曲ファイル数の増加速度を緩和することができる。また、第3実施例によれば、フォルダ内の楽曲ファイル数の増加を抑制しつつ、ハードディスクに記録されていた楽曲ファイルを消去しないため容易に再利用することができる。
以上の説明では、記録再生装置の記録媒体に記録されている全楽曲ファイルをハードディスクにコピーする場合について説明したが、本発明は全楽曲に限らず、楽曲を選択してハードディスクにコピーする場合にも適用できる。
以上の説明では、大容量記憶装置をハードディスクとしたが、本発明はハードディスクに限るものではない。
【図面の簡単な説明】
【００２１】
【図１】本発明の車載オーディオシステムの構成図である。
【図２】ハードディスクにおけるにファイル構造の説明図である。
【図３】ファイル管理テーブルである。
【図４】第１実施例のファイルコピーの処理フローである。
【図５】第２実施例のファイルコピーの処理フローである。
【図６】第３実施例のファイルコピーの処理フローである。
【符号の説明】
【００２２】
１０  携帯用音楽記録再生装置
１１  記録・再生制御部
１２  記録媒体（フラッシュメモリーや小型ハードディスク）
１３  オーディオ回路
２０  車載オーディオ装置
２１  オーディオ処理部
２３  オーディオ回路
３０  ハードディスク部
３１  システムコントローラ
３４  ハードディスク
【図１】
2008016108.tif 000003
【図２】
2008016108.tif 000004
【図３】
2008016108.tif 000005
【図４】
2008016108.tif 000006
【図５】
2008016108.tif 000007
【図６】
2008016108.tif 000008